(57)【特許請求の範囲】
【請求項１】
少なくとも１つの吸気口（２）及び少なくとも１つの排気口（３，４）を有し、ブロワ（６）により１次空気流（１４）を流通させるケーシング（１）と、
前記吸気口（２）及び排気口（３，４）の間に延びており、空気を流通させる１次空気路（５）とを有し、
この１次空気路（５）には、前記１次空気流（１４）が流れる方向に沿って、順に、前記ブロワ（６）及び複数の空気浄化ユニット（７）（８）（９）（１０）（１１）（１７）が配置されている車室用空気浄化装置において、
前記１次空気路（５）は、前記吸気口（２）と連通し、かつ前記ブロワ（６）を収容するチャンバ（１８）と、このチャンバ（１８）と連通し、かつ互いに平行に延びる複数の２次空気路（１２）（１３）とを含み、これらの２次空気路（１２）（１３）の少なくとも１つには、前記空気浄化ユニット（７）（８）（９）（１０）（１１）（１７）の少なくとも１つが設けられており、
前記１次空気路（５）はさらに、前記複数の２次空気路（１２）（１３）に流入する前の空気流を浄化するために、前記複数の２次空気路（１２）（１３）の入口部に配置された第１のフィルタタイプの主空気浄化ユニット（７）を有することを特徴とする空気浄化装置。
【請求項２】
前記第１のフィルタタイプの主空気浄化ユニット（７）はベローズ状に形成されていることを特徴とする請求項１に記載の空気浄化装置。
【請求項３】
前記１次空気路（５）は、前記１次空気流（１４）が進む方向において、順に、前記ブロワ（６）を収容するチャンバ（１８）、中間領域（２５）、および前記２次空気路（１２）（１３）を含む分岐領域の３つの領域からなっていることを特徴とする請求項１又は２に記載の空気浄化装置。
【請求項４】
前記第１のフィルタタイプの主空気浄化ユニット（７）は、前記１次空気路（５）の中間領域に配置されており、前記ブロワ（６）によって送られる１次空気流（１４）を浄化することを特徴とする請求項１〜３のいずれか１項に記載の空気浄化装置。
【請求項５】
前記２次空気路（１２）（１３）には、第２のフィルタタイプの空気浄化ユニット（１１）（１７）、イオン化タイプの空気浄化ユニット（８）、または光触媒タイプの空気浄化ユニット（１０）が配置されていることを特徴とする請求項１〜４のいずれか１項に記載の空気浄化装置。
【請求項６】
前記複数の２次空気路は、分岐した第１の２次空気路（１２）及び第２の２次空気路（１３）を有し、前記第１のフィルタタイプの主空気浄化ユニット（７）は、ベローズ状で、前記第１の２次空気路（１２）の上流側に位置し、かつ前記１次空気流（１４）が、この主空気浄化ユニット（７）および前記第２の２次空気路（１３）のいずれか一方に進みうるよう、前記第２の２次空気路（１３）の入口部と並置されていることを特徴とする請求項１〜５のいずれか１項に記載の空気浄化装置。
【請求項７】
前記ベローズ状主空気浄化ユニット（７）における第２の２次空気路（１３）と隣合う側の端部（２１）は、ベローズが延びる方向と直交する方向に延び、前記２次空気路（１２）（１３）の各入口部は、前記ベローズによって形成される面と直交する方向に開口していることを特徴とする請求項６に記載の空気浄化装置。
【請求項８】
前記複数の２次空気路は、分岐した第１の２次空気路（１２）及び第２の２次空気路（１３）を有し、前記第１の２次空気路（１２）は、第２のフィルタタイプの空気浄化ユニット（１７）を収容し、前記第２の２次空気路（１３）は、この第２の２次空気路（１３）を流れる２次空気流の方向に沿って、第３のフィルタタイプの空気浄化ユニット（１１）、およびイオン化タイプの空気浄化ユニット（８）または光触媒タイプの空気浄化ユニット（１０）を収容していることを特徴とする請求項１〜７のいずれか１項に記載の空気浄化装置。
【請求項９】
前記複数の２次空気路は、分岐した第１の２次空気路（１２）及び第２の２次空気路（１３）を有し、前記第１および第２の２次空気路（１２）（１３）を流れる２次空気流（１５）（１６）の少なくとも一方は、さらに２つの３次空気路（１９）（２０）に分岐し、これらの３次空気路（１９）（２０）の少なくとも一方には、空気浄化ユニット（７）（８）（９）（１０）（１１）（１７）の少なくとも１つが設けられていることを特徴とする請求項１〜８のいずれか１項に記載の空気浄化装置。
【請求項１０】
前記チャンバ（１８）は、前記吸気口（２）と前記２次空気路（１２）（１３）とを結ぶ前記１次空気路（５）のうち、前記１次空気流（１４）の上流部に位置することを特徴とする請求項１〜９のいずれか１項に記載の空気浄化装置。
【請求項１１】
前記複数の２次空気路（１２）（１３）の各入口部は、前記ケーシング（１）の幅広の面方向において、互いに異なる方向を向き、前記複数の２次空気路（１２）（１３）の各出口部は、前記ケーシング（１）の幅広の面の法線方向に開口していることを特徴とする請求項１〜１０のいずれか１項に記載の空気浄化装置。
【請求項１２】
前記複数の２次空気路（１２）（１３）は、前記ケーシング（１）の幅広の面方向において、互いに概ね同じ方向に延びていることを特徴とする請求項１〜１１のいずれか１項に記載の空気浄化装置。
【請求項１３】
少なくとも１つの吸気口（２）及び少なくとも１つの排気口（３，４）を有し、ブロワ（６）により１次空気流（１４）を流通させるケーシング（１）と、
前記吸気口（２）及び排気口（３，４）の間に延びており、空気を流通させる１次空気路（５）とを有し、
この１次空気路（５）には、前記１次空気流（１４）が流れる方向に沿って、順に、前記ブロワ（６）及び複数の空気浄化ユニット（７）（８）（９）（１０）（１１）（１７）が配置されている車室用空気浄化装置において、
前記１次空気路（５）は、前記吸気口（２）と連通し、かつ前記ブロワ（６）を収容するチャンバ（１８）と、このチャンバ（１８）と連通し、かつ互いに平行に延びる複数の２次空気路（１２）（１３）とを含み、これらの２次空気路（１２）（１３）の少なくとも１つには、前記空気浄化ユニット（７）（８）（９）（１０）（１１）（１７）の少なくとも１つが設けられており、
前記複数の２次空気路は、分岐した第１の２次空気路（１２）及び第２の２次空気路（１３）を有し、前記第１および第２の２次空気路（１２）（１３）を流れる２次空気流（１５）（１６）の少なくとも一方は、さらに２つの３次空気路（１９）（２０）に分岐し、これらの３次空気路（１９）（２０）の少なくとも一方には、空気浄化ユニット（７）（８）（９）（１０）（１１）（１７）の少なくとも１つが設けられていることを特徴とする空気浄化装置。
【発明の詳細な説明】
【技術分野】
【０００１】
本発明は、動力を有する自動車の車室、または動力を有しない被牽引車両の車室の空気浄化装置に係り、複数の空気浄化ユニットを備える車室用空気浄化装置に関する。
【背景技術】
【０００２】
輸送機関、特に自動車または被牽引車両（トレーラーハウスや貨物用トレーラー等を含む）の車室には、空気浄化装置が設置されている。一般に、車室には、乗員、貨物、原材料等が収容される。空気浄化装置は、空調機の一部品として設置されることもあれば、車室の通気孔に、独立の装置として設置されることもある。一般に、空気浄化装置の内部には、複数のタイプの空気浄化ユニットが設けられている。
【０００３】
空気浄化ユニットのタイプには、次のものがある。第１のタイプは、吸着機能を有することもあるフィルタタイプである。フィルタは、ベローズ状、または非ベローズ状（多孔質体状、発泡体状、もしくはフェルト状）の媒体からなっている。吸着機能を有し、有害なガスや臭気の分子を吸着するフィルタの場合、活性炭やゼオライト等が用いられる。
【０００４】
第２のタイプは、空気中に浮遊する粒子を帯電させ、ついで、静電気力を利用して収集するイオン化タイプである。
【０００５】
第３のタイプは、光エネルギーを吸収して活性化するラジカルを利用して、空気中の有害・悪臭ガスを無害化する光触媒タイプである。
【０００６】
第４のタイプは、揮発性の薬剤（所望により香気を有するもの）を蒸散させる薬剤蒸散タイプである。
【０００７】
第５のタイプは、ベローズ状であるフィルタ、またはベローズ状の媒体と組み合わされたフィルタと関連づけられ、かつ揮発性の薬剤を含浸する媒体を収容しているカートリッジタイプである。
【０００８】
特許文献１には、空気流を送り込むブロワ、ならびにブロワによって送り込まれた空気流の濾過ユニット、およびイオン化ユニットを収容するケーシングを備える空気浄化装置が開示されている。ケーシング内においては、空気流が進む流路の開閉は、制御されるようになっており、濾過ユニットとイオン化ユニットは、連続的に配置されている。この空気浄化装置は、空調機とは独立して、車室内のいずれかの箇所（主にルームランプの近傍）に設置される。
【０００９】
このような車室内に設置される空気浄化装置は、できるだけ小型化することが求められている。特に、ルームランプの近傍に設置される場合には、車室の中心方向に向かう第１の方向の寸法は、小さいほど望ましいが、このためには、濾過ユニットとイオン化ユニットが並ぶ第２の方向における寸法が大きくなることを避けざるを得ない。また、ケーシングを小型化するには、空気浄化ユニットの数も制限しなければならない。
【００１０】
特許文献２は、空調機の内部に取り付けられるフィルタを含む空気浄化装置であって、イオン化タイプの空気浄化ユニットをも備え、かつイオン化モードまたは単なる濾過モードのいずれかを選択しうるようになっている空気浄化装置を開示している。イオン化タイプの空気浄化ユニットは、フィルタとともに、ブロワを収容するケーシング内に配置される。空気流は、ケーシングの内部に導入された後、ブロワに送られて、フィルタを通過する。ついで、空気浄化モードの際には、さらにイオン化タイプの空気浄化ユニットが配置されている空気路へ送られる。
【００１１】
このような空調機の内部に取り付けられ、イオン化を含む空気浄化モード、または単なる空気循環モード（濾過のみ）のいずれかを選択しうる空気浄化装置は、車室内（ルームランプの近傍）に、空調機から独立して設置される空気浄化装置と比べると、小型化の必要性が小さく、空気浄化ユニットの数が制限されることはない。また、このような空調機内に取り付けられる空気浄化装置は、空気流の圧力の一部が失われるため、大きな騒音を発生する。
【先行技術文献】
【特許文献】
【００１２】
【特許文献１】特開昭６１−１３５８２１号公報
【特許文献２】欧州特許出願公開１６８１０６６号明細書
【発明の概要】
【発明が解決しようとする課題】
【００１３】
本発明は、空調機とは独立して設置される車室用空気浄化装置であって、効率的に空気流を浄化することができ、設置のためのスペースをそれほど要せず、かつ空気流の圧力損失が小さくて、騒音を生じない空気浄化装置を提供することを目的としている。また、本発明は、ルームランプのように、概ね平坦で、小型の空気浄化装置を提供することも目的としている。
【課題を解決するための手段】
【００１４】
本発明は、上記課題を解決するために、吸気口および排気口、ならびにこれらの間で延びる１次空気路を有し、この１次空気路には、１次空気流が流れる方向に沿って、順に、ブロワおよび複数の空気浄化ユニットが配置されている車室用空気浄化装置において、前記１次空気路は、吸気口と連通し、かつブロワを収容するチャンバ、およびこのチャンバと連通し、かつ互いに平行に延びる第１および第２の２次空気路を含み、これらの２次空気路の少なくとも一方には、前記空気浄化ユニットの少なくとも１つが設けられていることを特徴とする空気浄化装置を提供するものである。
【００１５】
前記１次空気路は、１次空気流が進む方向において、順に、次の３つの領域からなっているのが好ましい。
１）ブロワを収容するチャンバ、
２）中間領域(25)、
３）複数の空気浄化ユニットが配置された２次空気路を含む分岐領域。
【００１６】
ブロワがチャンバ内に設置されるということは、空気浄化ユニットの設置箇所が、１次空気流が進む方向において、ブロワよりも下流側であることを意味する。したがって、ケーシング内に取り込まれた１次空気流は、まずブロワを通過し、ついで空気浄化ユニットに至る。また、空気は、ケーシング内に取り込まれると、まず吸気口の直近に位置するチャンバに至る。
【００１７】
本発明に係る空気浄化装置に設けられる空気浄化ユニットは、吸着機能を兼備することもできるフィルタタイプ、イオン化タイプ、光触媒タイプ、薬剤蒸散タイプ等の適当なものを用いることができる。また空気浄化ユニットは、異なるタイプのもの同士を組み合わせることもできる。２次空気路の一方に配置される空気浄化ユニットは、他方の２次空気路に空気浄化ユニットが配置される場合においても、この空気浄化ユニットとは異なるタイプのものであり、また、２次空気路の上流側に位置する中間領域内の空気浄化ユニットとも異なるタイプのものである。
【００１８】
ブロワを吸気口の直ぐ下流側に配置すると、チャンバの容量を節約することができ、かつケーシング全体の構成、および空気流の経路を考慮して設定する複数の２次空気路の構成を効率的なものとすることができる。ケーシング内に取り込まれた１次空気流は、複数の２次空気流に分岐し、それぞれ、異なるタイプの空気浄化ユニットを通過する。
【００１９】
イオン化タイプまたは光触媒タイプの空気浄化ユニットを用いる場合には、これらの空気浄化ユニットによる空気浄化処理を補完するため、その上流側に、フィルタタイプの空気浄化ユニットをも備えているのが好ましい。この場合、ブロワを吸気口の直近に位置させ、かつケーシングが大型化するのを避けうるよう、フィルタタイプの空気浄化ユニットは、次のように設置するのが好ましい。
１）１次空気路の中間領域（ブロワを収容するチャンバの下流側で、かつ２次空気路を含む分岐領域の上流側）に設置する。
２）イオン化タイプまたは光触媒タイプの空気浄化ユニットが設置されている２次空気路に設置する。
３）イオン化タイプまたは光触媒タイプの空気浄化ユニットが設置されていない２次空気路に設置する。
【００２０】
フィルタタイプの空気浄化ユニットは、吸着機能を兼ね備えるものでもよい。また、このフィルタタイプの空気浄化ユニットは、ベローズ状、多孔質体状、発泡体状、フェルト状等の媒体からなっている。これらの媒体は、吸着性の材料から形成することも、吸着性の材料を含浸させておくこともできる。また、フィルタタイプの空気浄化ユニットには、薬剤蒸散タイプの空気浄化ユニット（例えば、好ましくは香気を有する薬剤を浸み込ませた媒体を収容するカートリッジ）を併設し、重畳的に空気浄化処理を行うこともできる。
【００２１】
１次空気流は、１次空気路内において、ブロワ、チャンバ、中間領域、および分岐領域を通過する。
【００２２】
本発明の変形例として、第１のフィルタタイプの空気浄化ユニットを、上記のように、１次空気路の中間領域に設けることができる。
【００２３】
２次空気路には、第２のフィルタタイプ、イオン化タイプ、光触媒タイプ等の空気浄化ユニットを設ける。
【００２４】
第２のフィルタタイプの空気浄化ユニットは、粒子状の異物を除去するため、２次空気路において、他のタイプの空気浄化ユニットよりも上流側に設けるのが好ましい。一方、２次空気路に第２のフィルタタイプの空気浄化ユニットを設けない変形例とすることも可能である。
【００２５】
好ましい実施形態においては、第１のフィルタタイプの空気浄化ユニットは、ベローズ状である。このベローズ状空気浄化ユニットは、一方の２次空気路の入口部と並列的に配置する。すなわち、ベローズ状の空気浄化ユニットは、もう一方の２次空気路の入口部を塞ぐように配置され、空気流は、このベローズを通過した後、もう一方の２次空気路に進入する。
【００２６】
ベローズ状空気浄化ユニットの端部は、このベローズが全体として延びる方向と直交する方向に延びるように形成されている。一方、２つの２次空気路の入口部は、この端部と同一の方向を向いている。２次空気路は、第１のフィルタタイプの空気浄化ユニットを通過した空気流が、他の空気浄化ユニットに向かうための通路である。
【００２７】
ベローズ状空気浄化ユニットの端部は、この第１のフィルタタイプの空気浄化ユニットを、一方の２次空気路の壁体に固定する役割を果たす。この２次空気路の壁体は、ケーシングと一体をなすように形成されることもあれば、２次空気路に一体化された空気浄化ユニットの壁体であることもある。その外、ベローズ状空気浄化ユニットの端部は、２次空気路の入口部部に取り付けることもできる。ベローズ状空気浄化ユニットの構造と位置は、特にベローズの端部の構成を工夫することによって、２次空気路に配置される空気浄化ユニットの上流側において、空気浄化処理の効率を高めつつ、ケーシングの大型化を回避しうるようなものにする。
【００２８】
本発明の変形例として、第１のフィルタタイプの空気浄化ユニットを、第１の２次空気路に設けることも可能である。この場合、第２の２次空気路には、２次空気流の方向に沿って、順に、第２のフィルタタイプの空気浄化ユニット、およびイオン化または光触媒タイプの空気浄化ユニットを設ける。
【００２９】
ケーシング内に取り込まれた１次空気流は、次のいずれかのように進行する。
１）ブロワの下流側で、第１のフィルタタイプの空気浄化ユニットによって処理された後、２つの２次空気流に分岐し、２つの２次空気路に進む。
２）ブロワの下流側で、空気浄化処理を施される前に、複数の２次空気流に分岐し、複数の２次空気路に進んで、それぞれ、空気浄化処理を受ける。
【００３０】
１次空気路は、下流側において、枝分かれした複数の２次空気路を含む。また、これらの２次空気路は、下流側において、さらに枝分かれさせることもできる。
【００３１】
特に、複数の２次空気路の少なくとも一方を、さらに３次空気路に分岐させ、この３次空気路に、さらに空気浄化ユニットを設けることができる。このような空気路の枝分かれは、段階的に繰り返すことができる。
【００３２】
一つの実施形態においては、２次空気流は、各２次空気路において、空気浄化処理を受ける。
【００３３】
もう一つの実施形態においては、第１の２次空気路を通過する２次空気流は、空気浄化処理を受けることなく、ケーシングの外へ排出される。一方、第２の２次空気路を通過する２次空気流は、この２次空気路内で、空気浄化処理を受けた後、ケーシングの外へ排出される。
【００３４】
上記２つの実施形態においては、空気流は、１次空気路の分岐領域の上流側で、一旦空気浄化処理を施された後、２次空気路に至る。
【００３５】
いずれかの２次空気路を流れる２次空気流は、さらに２つの３次空気流に分岐させることができる。この場合、一方の３次空気流は、空気浄化処理を施すことなく、ケーシングの外へ排出させ、もう一方の３次空気流にのみ、３次空気路内で、空気浄化処理を施すことができる。
【００３６】
チャンバは、１次空気流の上流部、特に、第１のフィルタタイプの空気浄化ユニットが設置される中間領域よりも、上流側に設けるのが好ましい。
【００３７】
また、２次空気路の入口部は、ケーシングの１つの面方向内において、互いに異なる方向を向き、他方、２次空気路の出口部は、この面の法線方向に開口しているのが好ましい。特に、２次空気路は、ともに、ケーシングの幅広の面方向内で延びるようにすると、ケーシングの大型化を抑えることができる。また、自動車の構造部材、またはダッシュボードへの固定に係る面の数を適切なものにすることにより、空気浄化装置の車室通気口への取付けを容易にすることが可能になる。
【００３８】
本発明に係る空気浄化装置を、ルームランプの近くに取り付ける場合には、ケーシングの対向する２つの幅広の面の一方に、２次空気流の排気口を設ける。もう一方の幅広の面は、車室のルーフに固着される。ケーシングの幅細の面は、空気浄化装置の制御盤として用いることができる。
【００３９】
上記のようなケーシングは、車室のルーフに取り付ける場合を想定すると、底面、頂面（底面と対向する面）、および側面をそれぞれ形成する壁体を有する。このうち、底面には、吸気口と排気口を設けるのが好ましい。また、空気浄化装置の制御盤は、ケーシングの幅細の面（側面）だけでなく、底面に設けることもできる。
【００４０】
排気口は、車室の通気性を高めるための外気取入れ口と一体化するのが好ましい。吸気口と排気口は、ケーシングの側面に設けることもできる。さらに、吸気口と排気口は、乗員が手で操作しうるフラップ等を用いて、数段階にわたって、通気量を制御しうるようにすることもできる。
【００４１】
複数の２次空気路の出口部は、別々としても、１つにまとめてもよい。また、各別の出口部とする場合、それぞれ、ケーシングの異なる面に開口させても、同一の面に開口させてもよい。
【００４２】
各２次空気路（または、これをさらに分岐させた３次空気路）の入口部は、互いに平行に延びる他の２次空気路（または３次空気路）の入口部と枝分かれ状になっている。
【００４３】
各２次空気路の入口部と出口部は、それぞれ、他の２次空気路（または３次空気路）の方向を向くようにすることができる。同様に、第１の２次空気路をさらに分岐させた３次空気路の入口部と出口部は、もう一方の３次空気路、または第１の２次空気路もしくは第２の２次空気路の方向を向くようにすることができる。
【発明の効果】
【００４４】
本発明に係る空気浄化装置は、上記のような構成を有するため、空気流の圧力低下が軽減され、騒音の発生も抑制される。また、複数の空気浄化ユニットを、直線的に進む空気流の全長にわたって連続的に配置するのを避け、空気浄化装置の大きさを抑えることができる。
【００４５】
さらに、次に示すような空気浄化装置の構成要素の取付けや配置等の効率を図る観点からも好ましい。
１）チャンバの容積、およびブロワの配置。
２）ブロワよりも下流側に位置し、フィルタタイプや光触媒タイプの空気浄化ユニットによる空気浄化処理が行われる１次空気路の分岐領域。
３）２次空気流が種々のタイプの空気浄化ユニットによる処理を受けるようになっている２次空気路。
【００４６】
１次空気路と２次空気路における各空気浄化ユニットの相対的な配置は、その作用原理に従って、選択することができる。
【００４７】
また、いかなるタイプの空気浄化ユニットも用いることができるため、１次空気路と２次空気路の方向や容量を適宜設定することができ、空気浄化装置の小型化、空気圧低下の軽減、騒音の抑制を図ることができる。
【図面の簡単な説明】
【００４８】
【図１】本発明の第１の実施形態に係る空気浄化装置の模式的な断面図である。
【図２】本発明の第２の実施形態に係る空気浄化装置の模式的な断面図である。
【図３】本発明の第３の実施形態に係る空気浄化装置の模式的な断面図である。
【図４】本発明の第４の実施形態に係る空気浄化装置の模式的な断面図である。
【図５】ベローズ状のフィルタタイプの空気浄化ユニットおよびイオン化タイプの空気浄化ユニットを備える、本発明の第１の変形例に係る空気浄化装置の模式的な断面図である。
【図６】同じく、第２の変形例に係る空気浄化装置の模式的な断面図である。
【図７】同じく、第３の変形例に係る空気浄化装置の模式的な断面図である。
【図８】同じく、第４の変形例に係る空気浄化装置の模式的な断面図である。
【図９】同じく、第５の変形例に係る空気浄化装置の模式的な断面図である。
【図１０】同じく、第６の変形例に係る空気浄化装置の模式的な断面図である。
【図１１】図８に示す空気浄化装置の斜視図である。
【図１２】同じく、縦断面図である。
【図１３】同じく、図１２と直交する方向の縦断面図である。
【発明を実施するための形態】
【００４９】
本発明の詳しい内容は、添付の図面を参照して行う以下の実施形態の説明から、より明瞭に理解しうると思う。
【００５０】
図１〜図４は、本発明に係る車室用空気浄化装置を示す。車室とは、動力を有する自動車の車室、および動力を有しない被牽引車両の車室の両方を指し、乗員、貨物、原材料等が収容されることを前提としている。
【００５１】
図示の空気浄化装置は、吸気口２と排気口３を有するケーシング１を備えている。ケーシング１は、吸気口２から排気口３まで延びる１次空気路５を形成する空間を区画している。また、ケーシング１は、内部における空気の流通を促進するため、ブロワ６を収容している。この空気浄化装置は、それぞれ、複数の空気浄化ユニット７、８、９、１０、１１、１７（作用・原理のタイプは、どのようなのであってもよい）を備えている。
【００５２】
例えば、空気浄化ユニット７、１１、１７は、吸着機能を付加することもできるフィルタタイプ、空気浄化ユニット８はイオン化タイプ、空気浄化ユニット１０は光触媒タイプ、空気浄化ユニット９は薬剤蒸散タイプである。
【００５３】
フィルタタイプの空気浄化ユニット７、１１、１７は、ベローズ状または非ベローズ状（発泡体状、フェルト状、もしくは織物状）とすることができる。フィルタタイプの空気浄化ユニット７、１１、１７が吸着機能を有しない場合には、有害なガスや臭気を処理する吸着材とともに用いるか、または薬剤（香気を有するものが望ましい）蒸散タイプの空気浄化ユニットと組み合わせて用いるのが好ましい。一般に、空気浄化ユニット７、８、９、１０、１１、１７は、他の異なるタイプの空気浄化ユニットと組みわせて用いられる。
【００５４】
ブロワ６は、ケーシング１内における１次空気路５において、空気浄化ユニット７、８、９、１０、１１、１７の上流側に位置するチャンバ１８内に設けられている。チャンバ１８は、ケーシング１の壁体に設けられた吸気口２を介して、外部と通じている。外部の空気は、ブロワ６の直ぐ上流側からケーシング内に取り込まれ、１次空気流１４として、ブロワ６を通過した後、１次空気路５の下流側に位置する空気浄化ユニット７、８、９、１０、１１、１７へ向かう。
【００５５】
１次空気路５は、チャンバ１８の下流側において、２つの２次空気路１２、１３に分かれている。
【００５６】
ケーシング１には、両２次空気路１２、１３に共通のただ１つの排気口３が設けられている。しかし、図１２と図１３に示すように、ケーシング１には、各２次空気路１２、１３と通ずる２つの排気口を設けることもできる。
【００５７】
図１と図２に示す実施形態においては、ケーシング１の内部に取り込まれた１次空気流１４は、ブロワ６を通過後、第１のフィルタタイプの空気浄化ユニット７を通過し、さらに、２つの２次空気流１５、１６に分かれる。２次空気流１５、１６は、それぞれ、２次空気路１２、１３を通過し、さらに空気浄化処理を施されるか、または施されることなく、共通の排気口３から、ケーシング１の外へ流出する。
【００５８】
図１に示す実施形態においては、第１の２次空気流１５は、第１の２次空気路１２においては、さらなる空気浄化処理を施されることなく、ケーシング１の外へ流出する。一方、第２の２次空気流１６は、第２の２次空気路１３に到達した後、第１のフィルタタイプの空気浄化ユニット７とは異なるタイプ（イオン化タイプ）の空気浄化ユニット８によって空気浄化処理を施され、最終的にケーシング１の外へ流出する。
【００５９】
図２に示す実施形態においては、第１の２次空気流１５は、第１の２次空気路１２を経て、さらに２つの３次空気流１９、２０に分かれる。第１の３次空気流１９は、さらなる空気浄化処理を施されることなく、ケーシング１の外へ流出する。一方、第２の３次空気流２０は、空気浄化ユニット１０を介して、空気浄化処理を施された後、ケーシング１の外へ流出する。空気浄化ユニット１０は、第１のフィルタタイプの空気浄化ユニット７とは異なるタイプ（光触媒タイプ）である。
【００６０】
第２の２次空気流１６は、第２の２次空気路１３に向かい、第１のフィルタタイプの空気浄化ユニット７とは異なるタイプ（イオン化タイプ）の空気浄化ユニット８を介して空気浄化処理を施された後、ケーシング１の外へ流出する。
【００６１】
図３と図４に示す実施形態においては、１次空気路５は、１次空気流１４の進行方向において、ブロワ６の下流側で、２つの２次空気路１２と１３に分岐している。１次空気流１４は、２つの２次空気流１５、１６に分かれ、第１の２次空気流１５は、第２のフィルタイプの空気浄化ユニット１７を備える第１の２次空気路１２を通過する。他方、第２の２次空気流１６は、空気浄化ユニット８、１０、１１を備える第２の２次空気路１３を通過する。
【００６２】
図３に示す実施形態において、第２の２次空気路１３に設けられている空気浄化ユニット１０は、光触媒タイプであるが、さらにフィルタイプの空気浄化ユニットを組み合わせることができる。
【００６３】
図４に示す実施形態においては、第２の２次空気路１３には、上流側に、非ベローズ状のフィルタタイプの空気浄化ユニット１１、および下流側に、イオン化タイプの空気浄化ユニット８が設置されている。
【００６４】
図５〜図８に示す各変形例においては、ケーシング１の内部は、ベローズ状の第１のフィルタタイプの空気浄化ユニット７と、イオン化タイプの空気浄化ユニット８が設けられている。図５に示す変形例においては、イオン化タイプの空気浄化ユニット８は、第１のフィルタタイプの空気浄化ユニット７と一体化されている。他方、図６〜図８に示す各変形例においては、イオン化タイプの空気浄化ユニット８は、第２の２次空気路１３を区画しており、かつベローズ状の第１のフィルタタイプの空気浄化ユニット７の端部２１に固着されている。
【００６５】
図５〜図８に示す実施形態においては、第１のフィルタタイプの空気浄化ユニット７の端部２１は、第２の２次空気路１３の入口部に位置し、第２の２次空気路１３を通過する第２の２次空気流１６を、前もって浄化する。
【００６６】
第１の２次空気流１５は、第１のフィルタタイプの空気浄化ユニット７の下流側に位置する第１の２次空気路１２を通過し、さらなる空気浄化処理を受けることなく、ケーシング１の外へ流出する。
【００６７】
図９と図１０に示す各変形例においては、１次空気流１４は、第１のフィルタタイプの空気浄化ユニット７を通過する２次空気流１５と、通過しない２次空気流１６とに分かれている。２次空気流１５が通過する第１の２次空気路１２には、空気浄化ユニット１７が設けられている。他方、２次空気流１６が通過する第２の２次空気路１３の上流側には、第２のフィルタタイプの空気浄化ユニット１１が、また下流側には、イオン化タイプの空気浄化ユニット８が設けられている。２次空気流１６は、これらの空気浄化ユニット８、１１によって浄化処理を受けた後、ケーシング１の外部へ流出する。
【００６８】
図６〜図１０に示す変形例は、イオン化タイプの空気浄化ユニット８の内部に設けられるイオン化電極２２（図８〜図１０にのみ図示する）への給電が容易になるという利点を有する。図８と図９に示すイオン化電極２２は、長寸であり、第２の２次空気路１３と平行に延びている。一方、図１０に示すイオン化電極２２は、同じく長寸であるが、第２の２次空気路１３と直交する方向に延びている。長寸イオン化電極２２の向きは、空気浄化ユニット８の大きさを最小化しうるよう、２次空気流１６の方向と平行にするのが好ましい。
【００６９】
図１１〜図１３は、それぞれ、図８に示す空気浄化装置の斜視図、縦断面図、および横断面図である。ブロワ６によってケーシング１内へ取り込まれた１次空気流１４は、１次段階の空気浄化ユニットである第１のフィルタタイプの空気浄化ユニット７に向かう。１次空気流１４は、第１のフィルタタイプの空気浄化ユニット７の手前で分岐し、第１のフィルタタイプの空気浄化ユニット７、および第１の２次空気路１２を通過して、ケーシング１の外部へ流出する第１の２次空気流１５、ならびに第２の２次空気路１３を通過しつつ、イオン化タイプの空気浄化ユニット８によって浄化処理される第２の２次空気流１６に移行する。
【００７０】
図１２と図１３に示すように、この空気浄化装置１は、それぞれ、第１の２次空気路１２および第２の２次空気路１３に対応する複数の排気口３、４を有している。
【００７１】
空気浄化装置１は、ブロワ６を、吸気口２と通ずるチャンバ１８の内部に設けることにより、小型化される。このような配置のときには、第１のフィルタタイプの空気浄化ユニット７、および２次空気路１２、１３の位置と向きは、自由に設定することができる。
【００７２】
図１２に示すように、第１のフィルタタイプの空気浄化ユニット７は、１次空気路５の中間領域２５に設置されている。チャンバ１８と、２次空気路１２、１３との間に位置する中間領域２５は、排気口３にも近い位置にある。
【００７３】
２次空気路１２、１３は、互いに異なる方向を向いており、かついずれか一方は、ケーシング１の長手方向に、もう一方は、これと直交する方向に延びている。２次空気路の向きをこのように設定すると、ケーシング１は、厚さだけでなく、幅広の面方向の寸法をも小さくすることができる。空気浄化装置１をルームランプと並べて配置するときには、ルームランプの厚さは、空気浄化装置の内部に設けられる複数の空気浄化ユニットの１つ（図１１に示す実施形態においては、最も厚いイオン化タイプの空気浄化ユニット８が好ましい）の厚さ、またはケーシング１の厚さ方向と一致するブロワ６の軸方向の長さに揃えればよい。ケーシング１の頂面２３の壁体は、車室の壁体に取り付けうるよう、壁体の形状に揃えてある。他方、ケーシング１の底面２４の壁体には、ブロワ６を収容するチャンバ１８に通ずる吸気口２と、それぞれ、第１の２次空気路１２および第２の２次空気路１３に通ずる２つの排気口３，４が設けられている。
【符号の説明】
【００７４】
１  ケーシング
２  吸気口
３  排気口
５  １次空気路
６  ブロワ
７、８、９、１０、１１、１７  空気浄化ユニット
１２  第１の２次空気路
１３  第２の２次空気路
１４  １次空気流
１５  第１の２次空気流
１７  第２の２次空気流
１８  チャンバ
１９  第１の３次空気路
２０  第２の３次空気路
２２  イオン化電極
【図１】
0005519281.tif 000002
【図２】
0005519281.tif 000003
【図３】
0005519281.tif 000004
【図４】
0005519281.tif 000005
【図５】
0005519281.tif 000006
【図６】
0005519281.tif 000007
【図７】
0005519281.tif 000008
【図８】
0005519281.tif 000009
【図９】
0005519281.tif 000010
【図１０】
0005519281.tif 000011
【図１１】
0005519281.tif 000012
【図１２】
0005519281.tif 000013
【図１３】
0005519281.tif 000014